(57)【要約】【課題】  ビデオカメラにおける記録メディア緊急取出し構成では、記録メディアの保護を考慮し記録再生等、製品動作時に顧客が容易に操作出来ないように製品を分解して取出す構成としているので、製品の分解は数点の部品を外す必要があり手間が掛かる。【解決手段】  記録メディアを着脱するために開閉する開閉蓋をロックための係合装置を備え、箱体を作るための外部に露出した複数の外装部品で構成されたビデオカメラにおいて、前記複数の外装部品の中の所定の外装部品を外した場合、前記係合装置が露出することを特徴とする。【選択図】  図５
2006186453.tif 000002
【特許請求の範囲】
【請求項１】
ディスクに情報を記録・再生するディスク記録再生装置であって、
前記記録再生装置の外装を構成する外装部品と、
前記ディスクを着脱する開閉蓋と、
前記開閉蓋を保持する係合手段と、
を有し、
前記外装部品のうち１つの外装部品を取り外すことにより前記係合手段の係合いを解除することが可能となる、
ディスク記録再生装置。
【請求項２】
請求項１記載のディスク記録再生装置であって、
前記外装部品は、ネジにより前記ディスク記録再生装置に保持される、
ディスク記録再生装置。
【請求項３】
請求項１又は２記載のディスク記録再生装置であって、
前記外装部品は、前記ディスク記録再生装置の上部に配される、
ディスク記録再生装置。
【請求項４】
請求項１乃至３記載のディスク記録再生装置であって、
前記外装部品は、孔を有する、
ディスク記録再生装置。
【請求項５】
ディスクに情報を記録・再生するディスク記録再生装置であって、
前記記録再生装置の外装を構成する外装部品と、
前記ディスクを着脱する開閉蓋と、
前記開閉蓋を保持する係合手段と、
を有し、
前記外装部品のうち、最後に組む外装部品を取り外すことにより前記係合手段の係合いを解除することができる、
ディスク記録再生装置。
【請求項６】
請求項５記載のディスク記録再生装置であって、
前記最後に組む外装部品は、ネジにより前記ディスク記録再生装置に保持される、
ディスク記録再生装置。
【請求項７】
請求項５又は６記載のディスク記録再生装置であって、
前記最後に組む外装部品は、前記ディスク記録再生装置の上部に配される、
ディスク記録再生装置。
【請求項８】
請求項５乃至７記載のディスク記録再生装置であって、
前記最後に組む外装部品は、孔を有する、
ディスク記録再生装置。
【請求項９】
記録メディアを着脱するために開閉する開閉蓋をロックための係合装置と、
箱体を作るための外部に露出した複数の外装部品と、
で構成されたビデオカメラであって、
前記複数の外装部品の中の所定の外装部品１つを外した場合、前記係合装置の一部分または全体が露出する、
ビデオカメラ。
【請求項１０】
請求項９記載のビデオカメラであって、
前記所定の外装部品は、外部マイク又はライトの取付け部を貫通する孔を有するトップカバーである、
ビデオカメラ。
【請求項１１】
請求項９又は１０記載のビデオカメラであって、
前記トップカバーは１本のネジで前記外装部品に取付けられている、
ビデオカメラ。
【請求項１２】
請求項９乃至１１記載のビデオカメラであって、
前記所定の外装部品はビデオカメラを組立てる際、組立順序の最後に取付ける外装部品である、
ビデオカメラ。
【発明の詳細な説明】
【技術分野】
【０００１】
本発明は、ビデオカメラに関するものである。
【背景技術】
【０００２】
本技術分野の背景技術としては、例えば、特開２００４−２５３７５２号公報がある。本公報には、課題として「電子機器の小型化を図ることを目的とする」と記載がある。また、解決手段として「発熱する電子素子と前記電子素子から発生する温度よりも使用環境温度が低い電子素子とを有する電子機器において、前記電子機器の筐体を支持する支持手段と、前記支持手段と前記発熱する電子素子との間に配置された前記発熱する電子素子による熱を伝導するための熱伝導手段と、を有する電子機器とする」と記載がある。
【０００３】
【特許文献１】特開２００４−２５３７５２号公報
【発明の開示】
【発明が解決しようとする課題】
【０００４】
近年記録メディアとして光ディスクを利用したビデオカメラが登場してきた。このようなビデオカメラでは、記録メディアを着脱する時に開閉する開閉蓋（カバー）を備えている。この開閉蓋を閉状態にするための係合機構としては、開閉蓋側から伸ばした係合ツメを本体側の係合装置の係合ツメで係合する構成となっている。また、この係合装置の係合を外し開閉蓋を開状態にする場合には、取出しノブ等の操作により、電気的に係合ツメの係合を外す構成となっている。例えば、モータ等で係合装置の係合ツメの位置をずらして係合を解除している。
【０００５】
この係合機構は、故障や不具合により通常操作では記録メディアが取出せなくなった場合でも強制的に記録メディアを取出せるようにするために、記録メディア緊急取出し機構が設けられている。このようなビデオカメラにおける記録メディア緊急取出し構成では、不具合状態のまま顧客がむやみに記録メディアを取出そうとして記録メディア等を傷付けてしまわないよう記録メディアの保護を考慮し、顧客が容易に取出し出来ないように、サービスマン等が工具等を使用して製品を分解して取出す構成としている。
【０００６】
一方、ビデオカメラの箱体を作るための外装部品は、１つ以上の外装部品で構成される複数の外装筐体ブロックに別れている。レンズ開口部やマイク部を備えるフロント側筐体ブロック、開閉回転可能な液晶表示部を備える液晶表示側筐体ブロック、記録装置を囲うケースや記録メディアを取出す時に開閉する開閉蓋（カバー）からなるグリップ側筐体ブロック、外部マイクやライトの取付け部を備えるトップ側筐体ブロック、ビューファインダーとバッテリー取付け部を備えるリヤ側筐体ブロックとに別れているものが一般的である。ここで、各外装筐体ブロック及び各外装部品は、ネジ止め、嵌合、接着等の固定手段により固定されている。ここで、係合機構はビデオカメラの上部にあり、開閉する開閉蓋であるディスクカバー側から伸びたツメとディスク装着装置側にある係合装置で構成されている（例えば、特許文献１[図１]参照）。
【０００７】
上記構成となっているビデオカメラにおける記録メディア緊急取出し構成を図１０を用いて説明する。図１０は、従来技術のトップカバー取外し部のセット拡大図である。
【０００８】
ディスクカバー４７を強制的に開状態にするためには、まず、フード４０とフィルターネジピース４１はネジ式に固定されているので、フード４０を回転させてフィルターネジピース４１から外す。以下、３本のネジで取付けてあるフィルターネジピース４１、レンズカバー４２、Ｌケース４３、３本のネジで取付けてあるコールドシュー４４、トップカバー４５と６個の外装部品を外すことにより、係合装置のスライダー４６が外部に露出される。サービスマンはネジを外すのにはドライバー等の工具を使用し、この順序で分解していく。ここで、サービスマンはスライダー４６を移動することによりロック用のツメの係合を解除し、グリップカバー４７を開いて装着されている記録メディアを取出すことが可能となる。
【０００９】
しかし、上述の記録メディア緊急取出し構成では、不具合時に記録メディアを強制的に取出す場合の手間ということには配慮されていないため、上記従来技術では６つの部品を外さねばならない。そのため、記録メディアを取出すまでに手間がかかってしまうという改良の余地があった。
【００１０】
本発明の目的は、記録メディアを着脱するために開閉する開閉蓋をロックための係合装置を備え、複数の外装部品で構成されたビデオカメラにおいて、１つの外装部品を外しただけで係合装置が露出する構成とすることで、緊急時にも、容易に係合を解除し開閉蓋を開けることができるので、記録メディアを手間をかけず取出すことが出来るビデオカメラを提供することである。
【課題を解決するための手段】
【００１１】
上記目的は、特許請求の範囲に記載の発明により達成される。
【発明の効果】
【００１２】
本発明により、容易に記録メディアを取出すことが出来る。
【発明を実施するための最良の形態】
【００１３】
以下、本実施例を図を用いて説明する。まずは、本実施例によるビデオカメラの外装構成を、図１から図３を用いて説明する。図１は本実施例のビデオカメラの前方斜視図、図２は本実施例の記録メディアを取出す時に開閉するグリップカバーを開動したときの後方斜視図、図３は本実施例の画像等を表示するためのＬＣＤ（Ｌｉｑｕｉｄ  Ｃｒｙｓｔａｌ  Ｄｉｓｐｌａｙ：液晶表示パネル）を開いたときの後方斜視図である。
【００１４】
本実施例によるビデオカメラは、レンズ部１、マイク部２、フード３、レンズカバー１４、レンズカバー１４を取付けるためのフロントケース１５等で構成されるフロント側筐体ブロックと、ＬＣＤ部５、ＬＣＤ支点部６等で構成される液晶表示側筐体ブロックと、グリップ部１１、記録メディアを着脱するために開閉する開閉蓋であるグリップカバー１３、で構成されるグリップ側筐体ブロックと、トップカバー１６、外部マイクやライトの取付け部１９を備えるトップ側筐体ブロックと、ＥＶＦ（Ｅｌｅｃｔｒｉｃ  Ｖｉｅｗ  Ｆｉｎｄｅｒ）部４等で構成されるリヤ側筐体ブロックとに別れて構成されている。ここで、外装部品は、フード３、グリップカバー１３、レンズカバー１４、フロントケース１５、ビデオカメラ上部に配されるトップカバー１６、外部マイクやライトの取付け部１９である。
【００１５】
ユーザはグリップ部１１に指をかけて本ビデオカメラを保持し被写体にレンズ部１を向けて撮影する。映像と音声はレンズ部１とマイク部２を通じて撮影及び集音される。レンズ部１の前に装着されているフード３はフロントケース１５とＭ３７のネジ式により取付け可能になっており、光学的性能を変更したいときは、フード３を外してＭ３７のコンバージョンレンズを装着することが可能になっている。ＥＶＦ部４、ＬＣＤ部５は撮影時、再生時に映像等を表示させる。ＬＣＤ部５はＬＣＤ支点部６により開閉、回転させることができ、使用状態に適した任意の角度に調整可能となっている。ＬＣＤ部５が閉じているときに隣接する面には主に再生時に使用する再生操作ボタン７が配置され、ＬＣＤ部５を開いた時に現れる面には主に撮影時に操作する撮影操作ボタン８が配置されている。モード切替えノブ９は、電源の入切と動画モードと静止画モードの切替えを行う。録画ボタン１０は録画のスタート／ストップボタンである。グリップ部１１の外装部品となるＲケース２３は装着する記録メディアに記録するドライブ装置（図示せず）を保護している。記録メディアを交換する際には、取出しノブ１２を操作することで後述するグリップカバー１３から伸ばした係合ツメを係合するための係合装置の係合ツメがスライドしグリップカバー１３から伸ばした係合ツメとの係合が解除されグリップカバー１３が開き、記録メディアを取出し交換可能になる。
【００１６】
次に、ビデオカメラの外装部品及び外装筐体ブロックの構成について図４を用いてさらに説明する。図４はセット本実施例のビデオカメラの分解図である。
【００１７】
フロント側筐体ブロック２５は外装部品であるフロントケース１５とフード３とレンズカバー４等とで構成され、液晶表示側筐体ブロック２６は外装部品であるＬケース２１とＬＣＤケース２２等とで構成され、グリップ側筐体ブロック２７は外装部品であるグリップカバー１３とＲケース２３と記録メディアを駆動してデータを記録再生するためのドライブ装置３０とグリップカバー１３を係合するための係合装置３１等とで構成され、トップ側筐体ブロック２８は外装部品であるトップカバー１６と外部マイクやライトの取付け部１９等とで構成され、リヤ側筐体ブロック２９は外装部品であるリヤケース２４等で構成されている。
【００１８】
ここで、トップカバー１６はビデオカメラを組立てた場合には係合装置３１を被った位置に配置してある。且つ、トップカバー１６はセットを組立てる際、最後に組立てる外装部品とし、逆に分解する際は、最初に外す外装部品である。そして、トップカバー１６は本実施例による単独で取外し可能な外装部品であり、緊急時には、トップカバー１６のみを取外すことにより、係合装置３１のスライダーが露出され、手動でスライドすることにより係合ツメの係合が解除されグリップカバー１３の係合を解除し、グリップカバー１３が開くので、記録メディアを取出すことが出来る。
【００１９】
次にトップカバー１６の係合解除の方法について、図５と図６を用いて説明する。図５は本実施例のトップカバー取外し図、図６は本実施例のトップカバー取外し部の拡大図である。
【００２０】
ネジ２０を取外しＲケース２３の係合孔２３ａとの係合を外すと、トップカバー１６は上方向に取外すことが出来る。トップカバー１６を取外すと、係合装置３１が表面に露出する。ここで、係合装置３１のスライダー１７をＣ方向に手動でスライドすることにより、係合が解除されグリップカバー１３が開く。このように、トップカバー１６を外しただけで係合装置３１を露出させ係合を解除しグリップカバー１３を開けることができるので、手間をかけず容易に記録メディアを取出すことが出来る。
【００２１】
さらに、トップカバー１６の形状及び着脱方法について、図７と図８を用いて詳細に説明する。図７（ａ）は本実施例のトップカバー１６の表面斜視図、図７（ｂ）は本実施例のトップカバー１６の裏面斜視図、図８（ａ）は本実施例のトップカバー取付け部横面断面図、図８（ｂ）は本実施例のトップカバー取付け部正面断面である。
【００２２】
トップカバー１６はレンズカバー１４と係合するための係合リブ１６ａ、Ｒケース２３の係合孔２３ａと係合するための３つの係合リブ１６ｃ、Ｌケース２１と係合するための係合リブ１６ｄを備えている。さらに外部マイクやライトの取付け部１９を貫通するための係合孔１６ｂ、トップカバー１６を安定に固定するネジ締め孔１６ｅを備えている。
【００２３】
ここで、トップカバー１６は回転して組込む方法をとっており、レンズカバー４の内径部にトップカバー１６の係合リブ１６ａを差込み、トップカバー１６の回転支点として矢印Ｄ方向へ回転する。さらに、トップカバー１６を回転させる際に、係合孔１６ｂを外部マイクやライトの取付け部１９に沿うように構成することにより左右方向の位置を決め、回転のガイドとして組み込むことができるようになっている。その後ネジ２０により外部マイクやライトの取付け部１９にネジ止め固定される。このような構成により、外部マイクやライトの取付け部１９に沿って回転するだけで容易に取付け、取外しができる。また、回転動作の最終段階ではトップカバー１６の係合リブ１６ｃ、１６ｄをＲケース２３に備わる係合孔２３ａ、Ｌケース２１に備わる孔（図示せず）に挿入することで、安定に保持される構成となっている。トップカバー１６を組込み後、ネジ２０で固定する。ここで係合リブ１６ｃ、１６ｄと係合孔２３ａ、Ｌケース２１に備わる孔（図示せず）はそれぞれ当接しているので取付けた状態ではトップカバー１６にずれ方向に応力が加わったとしても動かない構成となる。これにより、ずれ方向に応力が加わったとしても外れや破損につながる心配もない。尚、トップカバー１６の取外し方法は、組込み方法と逆の手順となりネジ２０を外し係合リブＡ１６ａを支点として回転させ取外す。
【００２４】
次に、係合装置３１の構成及び係合解除について、図８を用いて説明する。図８は本実施例の係合装置の詳細図である。
【００２５】
グリップカバー１３に取付けられたフックプレート１８の２つの係合ツメ１８ａが係合装置３１の２つの係合ツメ３１ａとそれぞれ係合しており、グリップカバー１３は閉じた状態となっている。ここで、手動により係合装置３１のスライダー１７を矢印Ｃ方向にスライドさせると、係合ツメ１８ａと係合ツメ３１ａとの係合が解除され、フックプレート１８が開放され、グリップカバー１３が開く。これにより、記録メディアを取出すことが可能となる。
【００２６】
以上のように構成したビデオカメラは、緊急時に、容易に記録メディアを取出すことが可能である。
【００２７】
本実施例は、記録メディアを着脱するために開閉する開閉蓋をロックための係合装置を備え、箱体を作るための外部に露出した複数の外装部品で構成されたビデオカメラにおいて前記複数の外装部品の中の所定の外装部品１つを外した場合、前記係合装置の一部分または全体が露出することを特徴とする。この構成により、緊急時に、１つの外装部品を外すだけで係合装置が外部に露出し係合を解除し開閉蓋を開けることができるので、手間をかけず容易に記録メディアを取出すことが出来る。
【００２８】
さらに、前記所定の外装部品は、外部マイクやライトの取付け部を貫通する孔を有するトップカバーであることを特徴とする。この構成により、ビデオカメラ上部にあるトップカバーを外すだけで係合装置が露出するので、作業性もよくさらに手間が省ける。
【００２９】
さらに、前記トップカバーは１本のネジで前記外装部品に取付けられていることを特徴とする。この構成によりネジ１本をドライバーで外すだけで係合装置が露出するので、さらに手間が省ける。
【００３０】
さらに、前記所定の外装部品はビデオカメラを組立てる際、組立順序の最後に取付ける外装部品であることを特徴とする。分解する際は、最初に外す外装部品がトップカバーであるように組立順序を構成したことにより１つの外装部品であるトップカバーを外しただけで係合装置が露出し係合を解除することができ、容易に開閉蓋を開動可能に出来る。
【００３１】
なお、本実施例において、トップカバー１６をカメラ上部に配したのは、通常カメラ底部が安定した形となっているため、係合手段の解除が容易にできるためである。
【図面の簡単な説明】
【００３２】
【図１】本実施例のビデオカメラの前方斜視図
【図２】本実施例の記録メディアを取出す時に開閉するグリップカバーを開動したときの後方斜視図
【図３】本実施例のＬＣＤ部を開いたときの後方斜視図
【図４】本実施例のトップカバー取外し図
【図５】本実施例のトップカバー取外し部の拡大図
【図６】本実施例のトップカバー斜視図
【図７】本実施例のトップカバー取付け部断面図
【図８】本実施例の係合装置の詳細図
【図９】本実施例のビデオカメラセットの分解図
【図１０】従来技術のトップカバー取外し図
【符号の説明】
【００３３】
１…レンズ部、２…マイク部、３…フード、４…ＥＶＦ部、５…ＬＣＤ部、
６…ＬＣＤ支点部、７…再生操作ボタン、８…撮影操作ボタン、９…モード切替えノブ、
１０…録画ボタン、１１…グリップ部、１２…取出しノブ、１３…グリップカバー、
１４…レンズカバー、１５…フロントケース、１６…トップカバー、
１６ａ…係合リブＡ、１６ｂ…係合孔、１６ｃ…係合リブＣ、１６ｄ…係合リブＤ、
１６ｅ…ネジ締め孔、１７…スライダー、１８…フックプレート、１８ａ…係合ツメ、
１９…外部マイクやライトの取付け部、２０…ネジ、２１…Ｌケース、
２２…ＬＣＤケース、２３…Ｒケース、２３ａ…係合孔、２４…リヤケース、
２５…フロント側筐体ブロック、２６…液晶側筐体ブロック、
２７…グリップ側筐体ブロック、２８…トップ側筐体ブロック、
２９…リヤ側筐体ブロック、３０…ドライブ装置、３１…係合装置、３１ａ…係合ツメ、
４０…フード、４１…フィルターネジピース、４２…レンズカバー、４３…Ｌケース、
４４…コールドシュー、４５…トップカバー、４６…スライダー、４７…グリップカバー
【図１】
2006186453.tif 000003
【図２】
2006186453.tif 000004
【図３】
2006186453.tif 000005
【図４】
2006186453.tif 000006
【図５】
2006186453.tif 000007
【図６】
2006186453.tif 000008
【図７】
2006186453.tif 000009
【図８】
2006186453.tif 000010
【図９】
2006186453.tif 000011
【図１０】
2006186453.tif 000012